(57)【要約】  露光後ベーク方法を提供する。一実施例では、方法は、処理チャンバ内に配置された被加工材支持部上に、フォトレジストの層を有する被加工材を配置することを含む。方法は、フォトレジストを、フォトマスクを通して所定の波長の光子に露光させることを含む。方法は、フォトレジストの加熱層を有する被加工材に対し、露光後ベーク加熱プロセスを行うことを含む。露光後ベーク加熱プロセスは、放射熱源と被加工材支持部内に配置された第２の熱源との双方により、被加工材の温度が露光後ベーク設定温度に達するまで、被加工材を加熱することを含みうる。
2021527955.tif 000002
【特許請求の範囲】
【請求項１】
被加工材を処理する方法であって、該方法は、
処理チャンバ内に配置された被加工材支持部上に、フォトレジストの層を有する被加工材を配置することと、
前記フォトレジストを、フォトマスクを通して所定の波長の光子に露光させることと、
前記フォトレジストの層を有する前記被加工材に対し、露光後ベーク加熱プロセスを行うことと
を含み、ここで、前記露光後ベーク加熱プロセスは、放射熱源と前記被加工材支持部内に配置された第２の熱源との双方により、前記被加工材の温度が露光後ベーク設定温度に達するまで、前記被加工材を加熱することを含む、方法。
【請求項２】
前記露光後ベーク加熱プロセスは、約１５秒未満で、おおよそ前記露光後ベーク設定温度まで前記被加工材を加熱するものである、
請求項１記載の方法。
【請求項３】
前記露光後ベーク加熱プロセスは、約５秒未満で、おおよそ前記露光後ベーク設定温度まで前記被加工材を加熱するものである、
請求項１記載の方法。
【請求項４】
前記被加工材が前記露光後ベーク設定温度に達した後に１つもしくは複数の前記放射熱源をパワーオフし、一方、前記第２の熱源による前記被加工材の加熱を維持することをさらに含む、
請求項１記載の方法。
【請求項５】
前記露光後ベーク設定温度は、約６０℃〜約１５０℃である、
請求項１記載の方法。
【請求項６】
前記放射熱源は、１つもしくは複数の白熱ランプを含む、
請求項１記載の方法。
【請求項７】
前記露光後ベーク加熱プロセス中、前記放射熱源と前記被加工材との間に、前記所定の波長の光子の透過に対して少なくとも部分的に不透明なフィルタが配置されている、
請求項１記載の方法。
【請求項８】
前記放射熱源は、１つもしくは複数の発光ダイオードを含む、
請求項１記載の方法。
【請求項９】
前記第２の熱源は、前記被加工材支持部内に配置された１つもしくは複数の抵抗加熱要素を含む、
請求項１記載の方法。
【請求項１０】
前記第２の熱源は、前記被加工材支持部内に配置された１つもしくは複数の流体ベース加熱要素を含む、
請求項１記載の方法。
【請求項１１】
前記第２の熱源内の前記１つもしくは複数の流体ベース加熱要素は熱交換器に流体接続されており、流体は、前記露光後ベーク加熱プロセス中、前記第２の熱源内の前記１つもしくは複数の流体ベース加熱要素と前記熱交換器との間を循環する、
請求項１０記載の方法。
【請求項１２】
前記流体は、水、油およびグリコールのうちの１つもしくは複数を含む作動液流体である、
請求項１１記載の方法。
【請求項１３】
前記フォトレジストの層は、化学強化レジスト層である、
請求項１記載の方法。
【請求項１４】
被加工材を処理する方法であって、該方法は、
被加工材のフォトレジストの層を、フォトマスクを通して所定の波長の光子に露光させることと、
処理チャンバ内に配置された、１つもしくは複数の流体ベース加熱要素を含む被加工材支持部上に、前記フォトレジストの層を有する前記被加工材を配置することと、
前記流体ベース加熱要素を含む前記被加工材支持部上の前記被加工材の前記フォトレジストの層に対し、おおよそ露光後ベーク設定温度で、露光後ベーク加熱プロセスを行うことと
を含む、方法。
【請求項１５】
前記被加工材支持部内の前記流体ベース加熱要素は熱交換器に流体接続されており、流体は、前記露光後ベーク加熱プロセス中、前記被加工材支持部内の前記流体ベース加熱要素と前記熱交換器との間を循環する、
請求項１４記載の方法。
【請求項１６】
前記流体は、水、油およびグリコールのうちの１つもしくは複数を含む作動液流体である、
請求項１４記載の方法。
【請求項１７】
前記露光後ベーク設定温度は、約６０℃〜約１５０℃の範囲にある、
請求項１４記載の方法。
【請求項１８】
前記露光後ベーク加熱プロセスは、約１５秒未満で、おおよそ前記露光後ベーク設定温度まで前記被加工材を加熱するものである、
請求項１４記載の方法。
【請求項１９】
前記露光後ベーク加熱プロセスは、約５秒未満で、おおよそ前記露光後ベーク設定温度まで前記被加工材を加熱するものである、
請求項１４記載の方法。
【請求項２０】
前記フォトレジストの層は、化学強化レジスト層である、
請求項１４記載の方法。
【発明の詳細な説明】
【技術分野】
【０００１】
優先権主張
本出願は、“Methods and Apparatus for Post Exposure Bake Processing of a Workpiece”なるタイトルにて２０１８年９月２４日付提出の米国仮出願第６２／７３５２４４号の優先権の利益を主張し、この出願は引用によって本明細書に組み込まれるものとする。本出願は、“Methods and Apparatus for Post Exposure Bake Processing of a Workpiece”なるタイトルにて２０１８年６月１５日付提出の米国仮出願第６２／６８５６０８号の優先権の利益を主張し、この出願は引用によって本明細書に組み込まれるものとする。
【０００２】
分野
本開示は、概して、例えば半導体処理に関連するリソグラフィプロセス中の、被加工材の露光後ベーク処理のための方法に関する。
【０００３】
背景
半導体処理では、デバイスの作製は、幾つかのリソグラフィステップを含むことができる。また、被加工材の臨界寸法（ＣＤ）は縮小し続けており、深紫外および極紫外（ＥＵＶ）のリソグラフィが多くの先進デバイスの製造および開発の主流となっている。多くの先進フォトリソグラフィの手法（例えば深紫外および極紫外）が、化学強化レジスト（ＣＡＲ）を採用している。ＣＡＲのための化学強化は、露光に対して化学的に安定な触媒化合物の生成を基礎とする。後続の露光後ベーク（ＰＥＢ）プロセス中、光生成触媒が連鎖反応を開始することができ（例えば１つの光化学変換が幾つかの化学反応を生じさせることができ）、フォトレジストの感応性の大幅な改善が得られる。
【０００４】
先進リソグラフィの用途では、ＰＥＢ設定温度に達するまでに必要な時間が、ＣＡＲ層での酸拡散長さの制御における臨界パラメータとなりうる。ＰＥＢプロセスにおける加熱時間の削減により、ＣＤ制御、例えばライン‐エッジ‐ラフネス（ＬＥＲ）の制御を改善することができる。従来の抵抗ヒータブロックの設計は、高い熱伝導性の材料を含むヒータベース内に埋め込まれた抵抗加熱要素を含みうる。従来の抵抗ヒータブロックの設計は、先進リソグラフィのＰＥＢプロセスに対して幾つかの制限を有しうる。ヒータベース材料の低いサーマルマスにより、高温のヒータブロック面上に低温の被加工材を配置した後、ヒータブロック温度に数度までの初期温度の低下が生じうるのである。さらに、従来のヒータブロックの制御は、抵抗加熱要素のパワー入力のためにダイナミックな温度制御アルゴリズムを採用しており、このことによって迅速な応答の要求と精細な制御との間の平衡化が必要となっている。結果として、従来のヒータブロックの応答により、ＰＥＢ設定温度のオーバーシュートがない場合、低温の被加工材を配置した後、初期ヒータブロック温度の低下の補正が緩慢となることがある。また、被加工材とヒータブロックとの間の物理的な接触のみでは、被加工材が抵抗ヒータブロックとの熱平衡に達するまでに時間がかかることがある。結果として、ＰＥＢプロセス用の従来の抵抗ヒータ技術では、要求される設定温度まで、比較的長い時間フレーム（例えば１５秒超）をかけないと被加工材を加熱できない。ＣＡＲ活性化のための設定までの被加工材温度の緩慢な上昇は、ＰＥＢツールのスループットを制限しうるだけでなく、先進リソグラフィにおけるＬＥＲラフネス制御を含めたＣＤ制御の劣化ももたらしうる。
【０００５】
概要
本開示の実施形態の態様および利点を以下の説明の一部として記載するが、または説明から、または実施形態の実施によって、教説を得ることができる。
【０００６】
本開示の一実施例としての態様は、被加工材を処理する方法に関する。方法は、処理チャンバ内に配置された被加工材支持部上に、フォトレジストの層を有する被加工材を配置することを含む。方法は、フォトレジストを、フォトマスクを通して所定の波長の光子に露光させることを含む。方法は、フォトレジストの加熱層を有する被加工材に対し、露光後ベーク加熱プロセスを行うことを含む。露光後ベーク加熱プロセスは、放射熱源と被加工材支持部内に配置された第２の熱源との双方により、被加工材の温度が露光後ベーク設定温度に達するまで、被加工材を加熱することを含む。
【０００７】
本開示の別の実施例としての態様は、被加工材を処理する方法に関する。方法は、被加工材のフォトレジストの層を、フォトマスクを通して所定の波長の光子に露光させることを含む。方法は、処理チャンバ内に配置された被加工材支持部上に、化学強化レジスト層を有する被加工材を配置することを含む。被加工材支持部は、１つもしくは複数の流体ベース加熱要素を含む。方法は、被加工材支持部上の被加工材の化学強化レジスト層に対し、露光後ベーク設定温度で、露光後ベーク加熱プロセスを行うことを含む。
【０００８】
種々の実施形態の当該および他の特徴、態様および利点は、以下の説明および添付の特許請求の範囲を参照することでより良く理解されるであろう。添付の図面は本明細書に組み込まれてその一部を成し、本開示の実施形態を図示するものであって、説明と併せて、関連する基本方式の説明に用いられる。
【０００９】
当業者に向けた実施形態の詳細な論述を、明細書において、添付の図を参照しながら説明する。
【図面の簡単な説明】
【００１０】
【図１】本開示の例示的な実施形態による被加工材処理装置の一実施例を示す図である。
【図２】本開示の例示的な実施形態による方法の一実施例を示すフローチャートである。
【図３】本開示の例示的な実施形態による、流体ベース露光後ベークプロセス中の被加工材支持部温度を示すグラフ表現である。
【図４】本開示の例示的な実施形態による被加工材処理装置の一実施例を示す図である。
【図５】本開示の例示的な実施形態による、一実施例のフィルタを通した種々の波長の放射の透過を示すグラフ表現である。
【図６】本開示の例示的な実施形態による方法の一実施例を示すフローチャートである。
【図７】本開示の例示的な実施形態による、ハイブリッド露光後ベークプロセス中の被加工材温度を示すグラフ表現である。
【図８】本開示の例示的な実施形態による被加工材処理装置の一実施例を示す図である。
【００１１】
詳細な説明
以下に、実施形態、すなわち図面に示した１つもしくは複数の実施例を詳細に説明する。各実施例は実施形態の説明のために設けたものであって、本開示を限定するものではない。実際に、当業者には、本開示の範囲および思想から逸脱することなく、実施形態に対して種々の修正および変更が行われうることは明らかであろう。例えば、１つの実施形態の一部として図示または説明する特徴は、別の実施形態と共に使用して、さらに別の実施形態を生じさせることができる。このように、本開示の態様がこうした修正および変更をカバーすることが意図されている。
【００１２】
本開示の例示的な態様は、フォトレジストの層、例えば化学強化レジスト（ＣＡＲ）層を有する被加工材のための露光後ベーク（ＰＥＢ）プロセスを実現する方法に関する。幾つかの実施形態では、ＰＥＢプロセスは、半導体デバイス作製プロセスにおけるリソグラフィプロセスの一部であってよい。
【００１３】
幾つかの実施形態では、方法は、ＣＡＲ層を有する被加工材のためのＰＥＢプロセスを実現する、被加工材支持部と組み合わされた流体ヒータを実現することを含みうる。例えば、被加工材を処理する方法は、処理チャンバ内の被加工材支持部上に被加工材を配置することを含みうる。被加工材支持部は、１つもしくは複数の流体加熱要素を含みうる。ＰＥＢ加熱プロセスは、加熱流体、例えば液体を、被加工材支持部内の１つもしくは複数の流体加熱要素（例えば流体通路）を通して輸送することを含みうる。
【００１４】
幾つかの実施形態では、方法は、被加工材を、おおよそＰＥＢ設定温度まで加熱することを含みうる。ＰＥＢ設定温度は、被加工材に対してＰＥＢプロセスを行うための、処理製法、制御ルーチン、オペレータ入力などに特有の温度であってよい。幾つかの実施形態では、ＰＥＢ設定温度は、約６０℃〜約１５０℃であってよい。方法は、ＰＥＢ処理期間にわたり、被加工材支持部内の１つもしくは複数の流体加熱要素を使用して、被加工材の温度をおおよそＰＥＢ設定温度に維持することを含みうる。方法は、ＰＥＢ処理期間の完了後、処理チャンバから被加工材を取り出すことを含みうる。
【００１５】
幾つかの実施形態では、１つもしくは複数の流体加熱要素は、処理チャンバの外部に配置された熱交換器から加熱流体を受け取るように構成可能である。流体は、作動液流体、例えば水、油、グリコール（例えばエチレングリコール）またはこれらの混合物であってよい。一実施例として、作動液流体は、ＰＥＢ設定温度が約６０℃〜約８０℃の範囲にある場合、水であってよい。他の適切な作動液流体は、所望のもしくは要求されるＰＥＢ設定温度に基づいて選択可能である。
【００１６】
流体は、被加工材支持部に関連づけられた流体加熱要素を通って被加工材を加熱することができ、再加熱のために熱交換器へ返送することもできる。こうした流体加熱アプローチは、プラズマプロセス、抵抗加熱部、放射加熱部または他の利用可能な加熱部から回収される熱を含む、利用可能かつ交換可能な、熱交換器用の複数の熱源からの利益を享受しうる。このように、流体（例えば液体）は、流体加熱要素と熱交換器との間を循環することができる。
【００１７】
本開示の例示的な実施形態による方法は、複数の技術的効果および利益を有しうる。例えば、本開示の例示的な実施形態によるＰＥＢ加熱プロセスは、被加工材支持部を通して改善された加熱の均一性を提供することができる。また、被加工材支持部の温度は、被加工材支持部を通って循環する加熱流体の高いサーマルマスにより増大された安定性を有しうる。被加工材を被加工材支持部に配置した後、被加工材支持部初期温度の低下は、従来の抵抗ヒータブロックの設計に比べて小さくなりうる。さらに、被加工材を被加工材支持部に配置して被加工材支持部初期温度が低下した後、加熱流体ベースの被加工材支持部の設計は、ＰＥＢ設定温度まで戻る、より迅速な被加工材支持部温度の勾配（例えば約１５秒未満）を提供することができる。最後に、従来のヒータブロックの設計におけるダイナミックな温度制御とは異なり、加熱流体ベースの被加工材支持部の設計によるＰＥＢプロセスにおける被加工材支持部または被加工材の何らかの温度オーバーシュートの問題も低減される。
【００１８】
本開示の別の例示的な実施形態では、第２の熱源（例えば被加工材支持部内に配置された熱源）と組み合わされる放射熱源（例えばランプまたは他の放射熱源）が使用され、フォトレジストの層、例えばＣＡＲ層を有する被加工材に対して、少なくとも部分的にＰＥＢ加熱プロセスが実現される。例えば、方法は、処理チャンバ内に配置された被加工材支持部上に被加工材を配置することを含みうる。幾つかの実施形態では、被加工材支持部は、１つもしくは複数の熱源、例えば抵抗加熱要素または液流体ベースの加熱要素を含んでいてよい。方法は、ＣＡＲ層を有する被加工材に対してＰＥＢ加熱プロセスを実行することを含みうる。ＰＥＢ加熱プロセスは、ＣＡＲ層を有する被加工材を、被加工材支持部に関連づけられた熱源と放射熱源（例えば１つもしくは複数のランプ）との双方を用いて、被加工材温度がＰＥＢ設定温度に達するまで加熱することを含みうる。幾つかの実施形態では、ＰＥＢ設定温度は約６０℃〜約１５０℃であってよい。
【００１９】
被加工材温度がＰＥＢ設定温度に達した後、方法は、ＰＥＢ処理期間中、被加工材支持部に関連づけられた熱源を主に使用して、被加工材温度をおおよそＰＥＢ設定温度に維持することを含みうる。放射熱源は、被加工材温度がＰＥＢ設定温度に達した後、放射熱源を部分的にまたは完全にパワーオフすることができる。幾つかの実施形態では、ＰＥＢ設定温度は、約１５秒未満で有効に達成可能である。幾つかの実施形態では、ＰＥＢ設定温度は、約５秒未満で有効に達成可能である。
【００２０】
放射熱源は、１つもしくは複数のランプ、例えばフラッシュランプ、アークランプ、ハロゲンランプ、白熱ランプ、または他のランプ熱源（例えば発光ダイオード（ＬＥＤ）ランプ熱源）を含みうる。本開示の態様を、図示および論述のためにランプに即して論じる。他の放射熱源、例えば、以下に限定されるものではないが、高温ガス流、１つもしくは複数のレーザー、粒子ビームを形成する熱源、ＲＦを形成する熱源、マイクロ波を形成する熱源なども、本開示の範囲から逸脱することなく、放射熱源として使用可能である。
【００２１】
幾つかの実施形態では、被加工材支持部に関連づけられた１つもしくは複数の熱源は、抵抗加熱要素であってよい。他の幾つかの実施形態では、被加工材支持部に関連づけられた１つもしくは複数の熱源は、１つもしくは複数の流体ベース加熱要素を含みうる。１つもしくは複数の流体ベース加熱要素は、処理チャンバ外に配置された熱交換器から加熱流体を受け取るように構成可能である。流体は、作動液流体、例えば油、水、グリコール（例えばエチレングリコール）またはこれらの混合物（例えば水とグリコールとの混合物）であってよい。一実施例として、作動液流体は、ＰＥＢ設定温度が約６０℃〜約８０℃の範囲にある場合、水であってよい。他の適切な作動液流体は、所望のもしくは要求される任意のＰＥＢ加熱設定温度に基づいて選択可能である。
【００２２】
本開示の例示的な態様による方法により、多数の技術的利益が提供される。例えば、被加工材支持部に関連づけられた熱源に加えて放射加熱要素を使用することにより、放射加熱要素がない場合に比べて、ＰＥＢ設定温度までの被加工材の加熱をより迅速にすることができる。幾つかの実施形態では、被加工材温度は、１５秒未満でＰＥＢ設定まで上昇させることができる。幾つかの実施形態では、被加工材温度は、５秒未満でＰＥＢ設定まで上昇させることができる。したがって、ＣＡＲ層に対する酸拡散長さを、ＰＥＢプロセス中、いっそう密に制御することができる。
【００２３】
本開示の態様を、図示および論述のために、「ウェハ」または半導体ウェハに即して論じる。当業者は、本明細書において提供される開示を用いて、本開示の例示的な態様が任意の半導体基板または他の適切な基板に関連づけられて使用可能であることを理解するであろう。被加工材が１つもしくは複数のデバイス構造体、膜もしくは層を含むことのできるデバイスの側面を有しうることを理解されたい。また、被加工材は、デバイス構造体を含まない、反対側の非デバイス側面も有しうる。本明細書において使用するように、数値と組み合わせた「約」または「おおよそ」なる語の使用は、言明している数値の１０％以内の差を有することをいうことを意図している。
【００２４】
図１には、本開示の例示的な実施形態による、フォトレジストの層（例えばＣＡＲ層）を有する被加工材に対してのＰＥＢ加熱プロセスの実行に使用可能な、一実施例としての被加工材処理装置１００が示されている。被加工材処理装置１００は、処理チャンバ１１０を含みうる。処理チャンバ１１０は、処理すべき被加工材１３０、例えば半導体ウェハを支持するように動作可能な被加工材支持部１２０を含むことができる。被加工材支持部１２０は、被加工材支持部１２０の温度を制御するための、１つもしくは複数の液流体ベース加熱要素１２５を含むことができる。幾つかの実施形態では、被加工材１３０は、その非デバイス側面１３２が液流体ベース加熱要素１２５に接触するように、液流体ベース加熱要素１２５上に配置可能である。さらに示されているように、被加工材１３０は、被加工材１３０のデバイス面１３４に設けられたＣＡＲ層１３６を含む。
【００２５】
幾つかの実施形態では、被加工材処理装置１００はさらに、流体ベース加熱要素１２５に流体接続された熱交換器１２６を含むことができる。熱交換器１２６は、流体加熱要素１２５の流体入口１２２へ加熱流体を輸送するように構成可能である。同様に、当該熱交換器は、流体加熱要素１２５の流体出口１２４から流体を受け取るように構成可能である。このように、流体（例えば液体）は、流体加熱要素１２５と熱交換器１２６との間を循環することができる。
【００２６】
幾つかの実施形態では、流体は、水、油、グリコールまたはこれらの混合物から成るグループから選択された作動液流体である。幾つかの実施形態では、作動液流体はエチレングリコールである。幾つかの実施形態では、作動液流体は、ＰＥＢ設定温度の特定の目標動作温度のために専用に選択される。一実施例として、作動流体は、ＰＥＢ設定温度が約６０℃〜約８０℃の範囲にある場合、水であってよい。他の適切な作動流体は、所望のもしくは要求される任意のＰＥＢ加熱設定温度に基づいて選択可能である。
【００２７】
幾つかの実施形態では、被加工材処理装置１００は、熱交換器１２６に動作可能に接続された制御装置１６０を含みうる。制御装置１６０は、熱交換器１２６および／または１つもしくは複数の制御弁の動作を制御して、例えば作動流体の温度の上昇もしくは低下を含む、１つもしくは複数の流体加熱要素１２５内への流体流の制御を行うように構成可能である。
【００２８】
制御装置１６０はまた、熱を熱交換器１２６に供給する熱源１２７を選択的に制御することもできる。幾つかの実施形態では、熱源１２７は、抵抗加熱要素を含む。幾つかの実施形態では、熱源１２７は、（例えばプラズマ源からの）廃熱または回収された熱を提供する。他の熱源１２７も本開示の範囲から逸脱することなく使用可能である。
【００２９】
幾つかの実施形態では、制御装置１６０は、温度センサ１６５から受信した、被加工材１３０および／または被加工材支持部１２０の温度を表す信号に基づいて、制御動作（例えば本明細書で論じる動作のいずれか）を実行可能である。温度センサ１６５は、被加工材１３０および／または被加工材支持部１２０の温度の推定のために処理可能な測定値を取得するように構成された、任意の（例えば接触型または非接触型の）適切なセンサであってよい。温度センサ１６５からの信号は、露光後ベーク（ＰＥＢ）プロセス中、被加工材１３０の温度を閉ループ制御するために使用可能である。
【００３０】
幾つかの実施形態では、制御装置１６０は、コンピュータによって実現される種々の機能を実行するように構成されたプロセッサおよび関連するメモリを含むことができる。本明細書において使用しているように、「プロセッサ」なる語は、コンピュータに含まれている形式のものをいう集積回路だけでなく、コントローラ、マイクロコントローラ、マイクロコンピュータ、プログラマブルロジックコントローラ（ＰＬＣ）、特定用途向け集積回路（ＡＳＩＣ）、フィールドプログラマブルゲートアレイ（ＦＰＧＡ）、および他のプログラマブル回路もいう。付加的に、メモリは、メモリ素子を含むことができ、以下に限定されるものではないが、コンピュータ可読媒体（例えばランダムアクセスメモリ（ＲＡＭ））、コンピュータ可読不揮発性媒体（例えばフラッシュメモリ）、および／または他の適切なメモリ素子またはこれらの組み合わせを含みうる。付加的に、制御装置１６０は、通信インタフェースを含みうる。幾つかの実現形態では、通信インタフェースは、データの送受信に使用される関連する電子回路を含みうる。
【００３１】
図２には、本開示の例示的な実施形態による、被加工材のＣＡＲ層に対して流体ベースＰＥＢ加熱プロセスを実現するための実施例としての方法２００のフローチャートが示されている。図２には、図示および論述のために特定の順序で行われるステップが示されている。当業者には、本明細書において提供される開示を用いて、本開示の範囲から逸脱することなく、本明細書において説明しているマルチサイクル熱処理プロセスの種々のステップを省略、拡張、同時実行、組み換えおよび／または種々に修正できることが理解されるであろう。付加的に、（図示していない）種々の付加的なステップも、本開示の範囲から逸脱することなく、実行可能である。
【００３２】
（２０２）で、方法２００は、処理チャンバ内に配置された被加工材支持部上に被加工材を配置することを含みうる。例えば、被加工材１３０は、被加工材支持部１２０上に配置可能である。被加工材支持部１２０は、１つもしくは複数の流体ベース加熱要素１２５を含むことができる。各流体ベース加熱要素１２５は、例えば、流体流、例えば液流体流のための通路を含むことができる。
【００３３】
（２０４）で、方法２００は、フォトマスクを通して被加工材のレジスト層の露光を実行することを含みうる。例えば、フォトマスクは、被加工材の少なくとも一部にエッチングすべきパターンを含むことができる。フォトマスクは、被加工材にエッチングすべきパターンと同じスケールのパターンを含んでいてよい。付加的にかつ／または代替的に、フォトマスクは、被加工材にエッチングすべきパターンとは異なるスケールのパターン、例えばより大きなパターンおよび／またはより小さなパターンを含んでいてもよい。フォトマスクおよびレジスト層は放射に対して露光可能であり、これにより、フォトマスクのパターンがレジスト層にエッチングされる。選択波長の放射に対するフォトレジストの付加的な露光（例えばフォトレジストの層へのフォトマスクのパターンの転写に使用される選択波長の放射とは別の放射に対する露光）を、ＰＥＢプロセスにおいて回避することができる。
【００３４】
（２０６）で、方法２００は、被加工材支持部内の１つもしくは複数の加熱要素を用いて流体ベースＰＥＢ加熱プロセスを行うことを含みうる。例えば、ＰＥＢ加熱プロセスは、被加工材支持部に関連づけられた流体加熱要素を通して、被加工材温度がＰＥＢ設定温度に達するまで、加熱流体を輸送することを含みうる。幾つかの実施形態では、ＰＥＢ設定温度は、約６０℃〜約１５０℃であってよい。幾つかの実施形態では、被加工材は、１５秒未満で、例えば５秒未満で、ＰＥＢ設定温度まで加熱可能である。
【００３５】
一実施例として、図１を参照すると、熱交換器１２６が、被加工材支持部内の流体加熱要素１２５に流体接続可能である。熱交換器１２６は、流体加熱要素１２５の流体入口１２２に加熱流体を輸送するように構成可能である。同様に、熱交換器は、流体加熱要素１２５の流体出口１２４から流体を受け取るように構成可能である。このように、流体は、流体加熱要素１２５と熱交換器１２６との間の流体接続において循環可能である。
【００３６】
幾つかの実施形態では、流体は、水、油、グリコールまたはこれらの混合物から成るグループから選択される作動液流体である。幾つかの実施形態では、作動液流体は、エチレングリコールである。他の実施形態では、作動流体は、ＰＥＢ設定温度の特定の目標動作温度に対して専用に選択される。一実施例として、作動流体は、ＰＥＢ設定温度が約６０℃〜８０℃の範囲に入りうる場合、水であってよい。他の適切な作動流体は、所望のもしくは要求される任意のＰＥＢ加熱設定温度に基づいて選択可能である。
【００３７】
幾つかの実施形態では、熱交換器１２６は、抵抗加熱要素から熱を受け取る。幾つかの実施形態では、熱交換器１２６は、廃熱または回収された熱を受け取る。熱交換器１２６として、別の熱源も適用可能である（例えばプラズマ熱源）。
【００３８】
（２０８）で、方法２００は、流体ヒータを使用して、被加工材温度をＰＥＢ設定温度に維持することを含みうる。例えば、流体ヒータは、ＰＥＢ処理期間にわたって実質的に一定の温度に加熱された流体を循環させることができる。ＰＥＢ処理期間の持続時間は、層１３６の型式と種々の他の要因とに基づいて変化させることができる。（２１０）で、方法２００は、ＰＥＢ処理期間が完了した後、処理チャンバから被加工材を取り出すことを含みうる。
【００３９】
図３には、本開示の例示的な実施形態による、流体ベースＰＥＢ加熱プロセス中の時間の関数としての被加工材支持部温度のグラフ表現が示されている。図３には、水平軸に沿って時間がプロットされており、垂直軸に沿って被加工材支持部の温度がプロットされている。曲線４１０は、抵抗加熱要素を組み込んだ被加工材支持部に対する被加工材支持部温度を示している。上述したように、最初により低温の被加工材が被加工材支持部のより高温の表面に接触する際に、被加工材支持部温度に大きな低下が生じうる。このことから、ＰＥＢ設定温度に達するまで長い加熱時間が発生しうる。長い加熱時間は、被加工材のＣＡＲ層に長い酸拡散長さを生じさせることがあり、これによりＣＤ制御の劣化が生じうる。
【００４０】
曲線４１２は、本開示の例示的な実施形態による、１つもしくは複数の流体加熱要素を組み込んだ被加工材支持部の被加工材支持部温度を示している。抵抗加熱要素を組み込んだ被加工材支持部の被加工材支持部温度を表す曲線４１０に比べて、１つもしくは複数の流体加熱要素を組み込んだ被加工材支持部の曲線４１２では、最初に被加工材が被加工材支持部に接触する際の被加工材支持部温度の初期低下が小さくなっている。これにより、被加工材がＰＥＢ設定温度に達するまでの時間をより迅速に（例えば約１５秒未満に）することができる。したがって、被加工材のＣＡＲ層の酸拡散長さをいっそう密に制御することができる。
【００４１】
図４には、本開示の例示的な実施形態による、フォトレジストの層（例えばＣＡＲ層）を有する被加工材に対するＰＥＢプロセスの実行に使用可能な被加工材処理装置３００が示されている。図示しているように、被加工材処理装置３００は、処理チャンバ１１０を含む。処理チャンバ１１０は、処理すべき被加工材を支持するように動作可能な被加工材支持部３２０を含みうる。被加工材支持部３２０は、１つもしくは複数の加熱要素３２５、例えば抵抗加熱要素を含みうる。幾つかの実施形態では、被加工材１３０は、その非デバイス側面１３２がヒータ３２０に接触するように、被加工材支持部３２０上に配置可能である。さらに図示しているように、被加工材１３０は、そのデバイス側面１３４に設けられたＣＡＲ層１３６を含む。
【００４２】
幾つかの実施形態では、被加工材処理装置３００は、被加工材１３０に向かってエネルギを放出するように構成された１つもしくは複数のランプ３４０を含みうる。より具体的には、１つもしくは複数のランプ３４０は、被加工材１３０のＣＡＲ層１３６に向かって光を放出し、ＣＡＲ層に対して少なくとも部分的にＰＥＢプロセスを実現することができる。
【００４３】
ランプ３４０のそれぞれは、例えば、アークランプ、ハロゲンランプ、白熱ランプ、または他のランプ熱源（例えば発光ダイオード（ＬＥＤ）ランプ熱源）であってよい。本開示の態様を、図示および論述のために、ランプ３４０に即して論じる。当業者には、本明細書において提供される開示を用いて、ランプ３４０に代えて任意の放射熱源を使用可能であることが理解されるであろう。
【００４４】
フォトリソグラフィでは、被加工材のフォトレジストの層、例えばＣＡＲ層が、パターニングされたフォトマスクを通してフォトマスクのパターンをフォトレジストに転写させるために、選択波長の放射に対して露光される。例えば、フォトマスクは、被加工材の少なくとも一部にエッチングすべきパターンを含むことができる。フォトマスクは、被加工材にエッチングすべきパターンと同じスケールのパターンを含むことができる。付加的にかつ／または代替的に、フォトマスクは、被加工材にエッチングすべきパターンとは異なるスケールのパターン、例えばより大きなパターンおよび／またはより小さなパターンを含んでいてもよい。選択波長の放射に対するフォトレジストの付加的な露光（例えばフォトレジストの層へのフォトマスクのパターンの転写に使用される選択波長の放射とは別の放射に対する露光）は、ＰＥＢプロセスにおいて回避すべきである。
【００４５】
幾つかの実施形態では、フィルタ３５０を、ランプ３４０と被加工材１３０との間に配置することができる。フィルタは、所定の波長帯域内の放射に対して少なくとも部分的に不透明とすることができる。例えば、フィルタは、フィルタに入射する波長帯域の波長を有する光子（例えばランプ３４０からの光子）の少なくとも一部を、フィルタを透過しないように阻止することができる。このように、フィルタは、当該帯域の放射を少なくとも部分的に阻止することができ、これにより、フォトレジストの層が当該帯域の放射に対して露光されることが防止される。
【００４６】
図５には、光の波長の関数としての、例示のフィルタを通る光の透過率のグラフ表現４００が示されている。例えば、波長が横軸に、（入射してくる放射のパーセンテージとしての）透過率が縦軸にあってよい。図５から見て取れるように、フィルタは、１つの波長での放射（例えば横軸の右端に近い放射）に対して実質的に透明であってよく、他の波長の放射（例えば横軸の左端に近い放射）に対して実質的に不透明であってよい。
【００４７】
幾つかの実施形態では、被加工材処理装置３００は、１つもしくは複数のランプ３４０および／または被加工材支持部３２０内の１つもしくは複数の加熱要素３２５に動作可能に接続された制御装置１６０を含みうる。このように、制御装置１６０は、１つもしくは複数のランプ３４０および／または１つもしくは複数の加熱要素３２５の動作を制御するように構成可能である。
【００４８】
制御装置１６０はまた、熱交換器１２６に熱を供給する熱源１２７を選択的に制御することができる。幾つかの実施形態では、熱源１２７は、抵抗加熱要素を含む。幾つかの実施形態では、熱源１２７は、（例えばプラズマ源からの）廃熱または回収された熱を供給する。他の熱源１２７も本開示の範囲から逸脱することなく使用可能である。
【００４９】
幾つかの実施形態では、制御装置１６０は、温度センサ１６５から受信した、被加工材１３０および／または被加工材支持部１２０の温度を表す信号に基づいて、制御動作（例えば本明細書で論じる動作のいずれか）を実行可能である。温度センサ１６５は、被加工材１３０および／または被加工材支持部１２０の温度の推定のために処理可能な温度測定を行うように構成された、任意の（例えば接触型または非接触型の）適切なセンサであってよい。温度センサ１６５からの信号は、露光後ベークプロセス中、被加工材１３０の温度を閉ループ制御するために使用可能である。例えば、制御装置１６０は、温度センサからの信号によって被加工材１３０の温度がＰＥＢ設定温度に達したことが示された際に、１つもしくは複数のランプ３４０をパワーオフすることができる。
【００５０】
幾つかの実施形態では、制御装置１６０は、コンピュータによって実現される種々の機能を実行するように構成されたプロセッサおよび関連するメモリを含むことができる。本明細書において使用しているように、「プロセッサ」なる語は、コンピュータに含まれている形式のものをいう集積回路だけでなく、コントローラ、マイクロコントローラ、マイクロコンピュータ、プログラマブルロジックコントローラ（ＰＬＣ）、特定用途向け集積回路（ＡＳＩＣ）、フィールドプログラマブルゲートアレイ（ＦＰＧＡ）、および他のプログラマブル回路をいう。付加的に、メモリはメモリ素子を含むことができ、以下に限定されるものではないが、コンピュータ可読媒体（例えばランダムアクセスメモリ（ＲＡＭ））、コンピュータ可読不揮発性媒体（例えばフラッシュメモリ）、および／または他の適切なメモリ素子またはこれらの組み合わせを含みうる。付加的に、制御装置１６０は、通信インタフェースを含みうる。幾つかの実現形態では、通信インタフェースは、データの送受信に使用される関連する電子回路を含みうる。
【００５１】
図６には、本開示の例示的な態様による、被加工材を処理する方法５００の一実施例のフローチャートが示されている。方法５００は、図４に即して上述した被加工材処理装置３００を使用して実現可能である。ただし、方法５００は、本開示の範囲から逸脱することなく、他のアプローチを使用しても実現可能であることを理解されたい。
【００５２】
図６には図示および論述のために特定の順序で実行されるステップが示されていることを理解されたい。ただし、当業者には、本明細書において提供される開示を用いて、本開示の範囲から逸脱することなく、本明細書において説明する方法５００の種々のステップが省略、拡張、同時実行、組み換えおよび／または種々に修正できることが理解されるであろう。付加的に、（図示していない）種々の付加的なステップも、本開示の範囲から逸脱することなく、実行可能である。
【００５３】
（５０２）で、方法５００は、処理チャンバ内に配置された加熱要素上に被加工材を配置することを含みうる。例えば、被加工材１３０は、被加工材支持部３２０上に配置可能である。被加工材支持部３２０は、１つもしくは複数の加熱要素３２５（例えば抵抗加熱要素または流体ベース加熱要素）を含むことができる。
【００５４】
（５０４）で、方法５００は、フォトマスクを通して被加工材のレジスト層の露光を実行することを含みうる。例えば、フォトマスクは、被加工材の少なくとも一部にエッチングすべきパターンを含むことができる。フォトマスクは、被加工材にエッチングすべきパターンと同じスケールのパターンを含んでいてよい。付加的にかつ／または代替的に、フォトマスクは、被加工材にエッチングすべきパターンとは異なるスケールのパターン、例えばより大きなパターンおよび／またはより小さなパターンを含んでいてもよい。フォトマスクおよびレジスト層は放射に対して露光可能であり、これにより、フォトマスクのパターンがレジスト層にエッチングされる。選択波長の放射に対するフォトレジストの付加的な露光（例えばフォトレジストの層へのフォトマスクのパターンの転写に使用される選択波長の放射とは別の放射に対する露光）を、ＰＥＢプロセスにおいて回避すべきである。
【００５５】
（５０６）で、方法５００は、被加工材に対してハイブリッドＰＥＢ加熱プロセスを行うことを含みうる。ハイブリッドＰＥＢ加熱プロセスは、被加工材温度が初期的にＰＥＢ設定温度へ上昇する間、被加工材支持部に関連づけられた加熱要素と放射加熱部（例えばランプ）との双方を使用することを含みうる。被加工材温度がおおよそＰＥＢ設定温度となった後、被加工材支持部に関連づけられた加熱要素を使用して、被加工材温度をおおよそＰＥＢ設定温度に維持することができる。
【００５６】
例えば、被加工材温度をＰＥＢ設定温度へと初期的に上昇させる間、加熱要素３２５（図４）およびランプ熱源３４０の双方を使用して、被加工材を加熱することができる。被加工材温度がおおよそＰＥＢ設定温度となった後、加熱要素３２５を使用して被加工材温度をおおよそＰＥＢ設定温度に維持することができる。
【００５７】
これに関して、（５０８）で、方法５００は、第２の熱源を使用して、ＰＥＢ処理期間にわたって被加工材温度をＰＥＢ設定温度に維持することを含みうる。幾つかの実施形態では、ＰＥＢプロセスの全体にわたってＰＥＢ設定温度が維持されるように、ランプ３４０をパワーオフして第２の熱源を動作させることができる。
【００５８】
（５１０）で、方法５００は、ＰＥＢ処理期間が完了した後、処理チャンバから被加工材を取り出すことを含みうる。ＰＥＢ処理期間の持続時間は、レジスト（例えばＣＡＲ層１３６）の型式と種々の他の要因とに基づいて変化させることができる。
【００５９】
図７には、本開示の例示的な実施形態による、ハイブリッドＰＥＢ加熱プロセス中の時間の関数としての被加工材温度のグラフ表現が示されている。図７には、水平軸に沿って時間がプロットされており、垂直軸に沿って被加工材温度がプロットされている。曲線６１０は、被加工材支持部内に組み込まれた加熱要素のみを使用して被加工材が加熱される場合の被加工材温度を示している。曲線６２０は、本開示の例示的な実施形態による、ハイブリッドＰＥＢ加熱プロセス中の被加工材温度を示している。図示しているように、ハイブリッドＰＥＢ加熱プロセスにより、被加工材がＰＥＢ設定温度に達するまでの時間をより迅速に（例えば約１５秒未満、例えば５秒未満に）することができる。したがって、ＣＡＲ層の酸拡散長さをいっそう密に制御することができる。
【００６０】
図６および図７を、放射熱源（例えばランプ）に加えて被加工材支持部内の加熱要素を使用するハイブリッドＰＥＢ加熱プロセスに即して論じた。本開示の例示的な実施形態によるハイブリッドＰＥＢ加熱プロセスは、被加工材支持部内の抵抗加熱要素を使用して実現可能である。また、本開示の例示的な実施形態によるハイブリッドＰＥＢ加熱プロセスは、被加工材支持部内の流体ベース加熱要素を使用しても実現可能である。
【００６１】
図８には、本開示の例示的な実施形態による、プロセスの実行に使用可能な被加工材処理装置７００が示されている。被加工材処理装置７００は処理チャンバ１１０を含みうる。処理チャンバ１１０は、処理すべき被加工材１３０、例えば半導体ウェハを支持するように動作可能な被加工材支持部１２０を含みうる。被加工材支持部１２０は、被加工材支持部１２０の温度を制御するための、１つもしくは複数の流体ベース加熱要素１２５を含むことができる。幾つかの実施形態では、被加工材１３０は、その非デバイス側面１３２が被加工材支持部１２０に接触するように、流体ベース加熱要素１２５上に配置可能である。さらに示されているように、被加工材１３０は、被加工材１３０のデバイス面１３４に設けられたＣＡＲ層１３６を含む。
【００６２】
幾つかの実施形態では、被加工材処理装置７００はさらに、流体ベース加熱要素１２５に流体接続された熱交換器１２６を含むことができる。熱交換器１２６は、流体加熱要素１２５の流体入口１２２へ加熱流体を輸送するように構成可能である。同様に、当該熱交換器は、流体ベース加熱要素１２５の流体出口１２４から流体を受け取るように構成可能である。このように、流体（例えば液体）は、流体ベース加熱要素１２５と熱交換器１２６との間の流体接続において循環することができる。
【００６３】
幾つかの実施形態では、流体は、水、油、グリコールまたはこれらの混合物から成るグループから選択された作動液流体である。幾つかの実施形態では、作動液流体はエチレングリコールである。幾つかの実施形態では、作動液流体は、ＰＥＢ設定温度の特定の目標動作温度のために専用に選択される。一実施例として、作動流体は、ＰＥＢ設定温度が約６０℃〜約８０℃の範囲にある場合、水であってよい。他の適切な作動流体は、所望のもしくは要求される任意のＰＥＢ加熱設定温度に基づいて選択可能である。
【００６４】
ランプ３４０は、例えばアークランプ、ハロゲンランプ、白熱ランプ、または他のランプ熱源（例えば発光ダイオード（ＬＥＤ）ランプ熱源）であってよい。本開示の態様を、図示および論述のためにランプ３４０に即して論じる。他の熱源、例えば高温壁の環境に限定されるものではないが、高温プレートまたは高温サセプタ、高温ガス流、放射熱源、例えばレーザー、粒子ビームを形成する熱源、ＲＦを形成する熱源、またはマイクロ波を形成する熱源も、本開示の範囲から逸脱することなく、使用可能である。
【００６５】
幾つかの実施形態では、フィルタ３５０は、ランプ３４０と被加工材１３０との間に配置可能である。フィルタは、所定の波長帯域内の放射に対して少なくとも部分的に不透明とすることができる。例えば、フィルタは、フィルタに入射する波長帯域の波長を有する光子（例えばランプ３４０からの光子）の少なくとも一部を、フィルタを透過しないように阻止することができる。このように、フィルタは、当該帯域の放射を少なくとも部分的に阻止することができ、当該帯域の放射に対するフォトレジストの層の露光が阻止される。
【００６６】
幾つかの実施形態では、被加工材処理装置３００は、１つもしくは複数のランプ３４０および熱交換器１２６に動作可能に接続された制御装置１６０を含みうる。このように、制御装置１６０は、１つもしくは複数のランプ３４０の動作を制御することができる。制御装置１６０はまた、例えば作動流体の温度の上昇もしくは低下を含む、熱交換器１２６の動作の制御を行うように構成可能である。制御装置はまた、熱を熱交換器１２６に供給する熱源を選択的に制御することもできる。
【００６７】
制御装置１６０はまた、熱を熱交換器１２６に供給する熱源１２７を選択的に制御することもできる。幾つかの実施形態では、熱源１２７は、抵抗加熱要素を含む。幾つかの実施形態では、熱源１２７は、（例えばプラズマ源からの）廃熱または回収された熱を提供する。他の熱源１２７も本開示の範囲から逸脱することなく使用可能である。
【００６８】
幾つかの実施形態では、制御装置１６０は、温度センサ１６５から受信した信号に基づいて、制御動作（例えば本明細書で論じる動作のいずれか）を実行可能である。温度センサ１６５は、被加工材１３０および／または被加工材支持部１２０の温度の推定のために処理可能な測定値を取得するように構成された、任意の（例えば接触型または非接触型の）適切なセンサであってよい。温度センサ１６５からの信号は、露光後ベーク（ＰＥＢ）プロセス中、被加工材１３０の温度を閉ループ制御するために使用可能である。例えば、制御装置１６０は、温度センサからの信号によって被加工材１３０の温度がＰＥＢ設定温度に達したことが示された場合、１つもしくは複数のランプ３４０をパワーオフすることができる。
【００６９】
幾つかの実施形態では、制御装置１６０は、コンピュータによって実現される種々の機能を実行するように構成されたプロセッサおよび関連するメモリを含むことができる。本明細書において使用しているように、「プロセッサ」なる語は、コンピュータに含まれている形式のものをいう集積回路だけでなく、コントローラ、マイクロコントローラ、マイクロコンピュータ、プログラマブルロジックコントローラ（ＰＬＣ）、特定用途向け集積回路（ＡＳＩＣ）、フィールドプログラマブルゲートアレイ（ＦＰＧＡ）、および他のプログラマブル回路をいう。付加的に、メモリは、メモリ素子を含むことができ、以下に限定されるものではないが、コンピュータ可読媒体（例えばランダムアクセスメモリ（ＲＡＭ））、コンピュータ可読不揮発性媒体（例えばフラッシュメモリ）、および／または他の適切なメモリ素子またはこれらの組み合わせを含みうる。付加的に、制御装置１６０は、通信インタフェースを含みうる。幾つかの実現形態では、通信インタフェースは、データの送受信に使用される関連する電子回路を含みうる。
【００７０】
本主題をその特定の例示的な実施形態に即して詳細に説明してきたが、当業者には、上述したことがらの理解を得て、こうした実施形態の変形形態および等価形態にいたる修正を容易に行いうることが理解されるであろう。したがって、本開示の範囲は、限定のためでなく実施例としてのものであり、主題の開示は、本主題へのこうした修正、変形および／または追加の包含を排除するものでなく、当業者にとって容易に明らかとなるものである。
【図１】
2021527955.tif 000003
【図２】
2021527955.tif 000004
【図３】
2021527955.tif 000005
【図４】
2021527955.tif 000006
【図５】
2021527955.tif 000007
【図６】
2021527955.tif 000008
【図７】
2021527955.tif 000009
【図８】
2021527955.tif 000010
【国際調査報告】
2021527955.tif 000011
2021527955.tif 000012
2021527955.tif 000013